(57)【要約】      （修正有）【課題】搬送性及び密着性、開閉性等のブックカバーとしての性能に優れたブックカバー、およびそのブックカバーを装着した本を提供すること。【解決手段】本をカバーするブックカバーであって、該ブックカバーは、２枚の紙１５を有し、該２枚の紙１５は、それぞれ一部を重ね合わせた重ね合わせ部１７を有し、該２枚の紙１５同士は繋がれており、該重ね合わせ部１７は、該本の背表紙部分を覆うように配置されるものであることを特徴とするブックカバー。前記ブックカバーを装着した本。【選択図】図２
2011126116.tif 000002
【特許請求の範囲】
【請求項１】
本をカバーするブックカバーであって、
該ブックカバーは、２枚の紙を有し、該２枚の紙は、それぞれ一部を重ね合わせた重ね合わせ部を有し、該２枚の紙同士は繋がれており、該重ね合わせ部は、該本の背表紙部分を覆うように配置されるものであることを特徴とするブックカバー。
【請求項２】
前記重ね合わせ部の端部の角は、前記本の背表紙部分の端部の角と接触させるように配置されるものである請求項１に記載のブックカバー。
【請求項３】
ブックカバーを装着した本であって、
該ブックカバーは、２枚の紙を有し、該２枚の紙は、それぞれ一部を重ね合わせた重ね合わせ部を有し、該２枚の紙同士は繋がれており、該重ね合わせ部は、該本の背表紙部分を覆うように配置されていることを特徴とする本。
【発明の詳細な説明】
【技術分野】
【０００１】
本発明は、ブックカバーおよびブックカバーを装着した本に関する。
【背景技術】
【０００２】
プリンタ等に使用される紙は一般的に定型寸法に切断されたカット紙と一定の幅で筒状芯に巻かれた長尺タイプのロール紙と呼ばれるものに大別され、それぞれ用途により使い分けられている。近年、パノラマ印刷に代表される長尺高画質のインクジェットプリンタでの印刷が行われている。またこの長尺のインクジェット紙をブックカバーに用いることがある。
【０００３】
従来、ブックカバーは、１枚の長尺のカバー紙にインクジェットプリンタによって好みの写真、タイトル等を印字し、そのまま本を覆うものであった（特許文献１参照）。
【先行技術文献】
【特許文献】
【０００４】
【特許文献１】特開２００６−１５０７６１号公報
【発明の概要】
【発明が解決しようとする課題】
【０００５】
しかし、特許文献１に記載のブックカバーは、長尺のインクジェット紙を用いているため、梱包形態がかなり大きくなり、販売棚などに陳列しにくいことがある。また、梱包形態を小さくしようとすれば、長尺のカバー紙を折り曲げたりすることが求められ、こうした場合にはその曲げ癖等により搬送不良を起こすといった課題が生じることがある。
【０００６】
長尺のインクジェット紙からなるカバー紙は、本の四つの角で折り目をつけてカバーしようとしても、インクジェット紙の有する厚みや剛直度のため、カバー紙を本の四つの角全てに接触させることが困難な場合がある。カバー紙を本の四つ角全てに接触させたとしても、遊びが無いと、紙の剛度のため本の開閉がしづらくなることがある。これを解決するためにはカバー紙にある程度遊びを作りながら本を覆わなければならず、そのため本とブックカバーの間に隙間が生じ見た目が劣る場合がある。
【０００７】
本発明は上述の課題を解決するものであり、搬送性及び密着性、開閉性等のブックカバーとしての性能に優れたブックカバー、およびそのブックカバーを装着した本を提供することを目的とする。
【課題を解決するための手段】
【０００８】
上記課題を解決する本発明は、本をカバーするブックカバーであって、該ブックカバーは、２枚の紙を有し、該２枚の紙は、それぞれ一部を重ね合わせた重ね合わせ部を有し、該２枚の紙同士は繋がれており、該重ね合わせ部は、該本の背表紙部分を覆うように配置されるものであることを特徴とするブックカバーである。
【０００９】
また、本発明は、ブックカバーを装着した本であって、該ブックカバーは、２枚の紙を有し、該２枚の紙は、それぞれ一部を重ね合わせた重ね合わせ部を有し、該２枚の紙同士は繋がれており、該重ね合わせ部は、該本の背表紙部分を覆うように配置されていることを特徴とする本である。
【発明の効果】
【００１０】
本発明によれば、搬送性及び密着性、開閉性等のブックカバーとしての性能に優れたブックカバー、およびそのブックカバーを装着した本を提供することができる。
【図面の簡単な説明】
【００１１】
【図１】ブックカバーが本をカバーする状態の例を示す平面図であり、（ａ）〜（ｃ）は１枚の長尺紙をブックカバーに用いた場合の平面図、（ｄ）〜（ｆ）は本発明のブックカバーを用いた場合の平面図である。
【図２】（ａ）は本発明に用いる紙の一例の平面図、（ｂ）はその紙を用いて作製した本発明のブックカバーの一例の平面図である。
【発明を実施するための形態】
【００１２】
本発明者らは上記課題が、２枚の紙を、それぞれの一部が重ね合わさるようにして繋いで本をカバーすることによって達成されることを見出した。本発明のブックカバーは、梱包形態を小さくすることが可能で、外観も良好にすることができる。
２枚の紙同士を繋ぐ方法は、本発明の効果が得られる範囲であれば適宜選択することができる。２枚の紙同士を繋ぐ方法には、２枚の紙の重ね合わせ部を糊や両面テープ等で繋ぎ合わせる方法の他に、２枚の紙の少なくとも重ね合わせ部（２枚の紙全体でも良い）を保護フィルム（透明フィルム）で覆う方法を含むことができる。さらに、保護フィルム（透明フィルム）を２枚の紙に貼るラミネート加工方法も用いることができる。密着性および開閉性の観点から、２枚の紙同士を繋ぐ方法としては、保護フィルムで覆う方法が好ましい。なお、重ね合わせ部を保護フィルムで覆う際には、重ね合わせ部を含んでいればフィルムで覆う範囲は適宜広げることができる。
【００１３】
長尺のカバー紙１で本２をカバーする際には図１（ａ）のように符号３、４、５、６の四点の位置（角）を正確に合わせることが求められ装着が容易ではないことがある。特にインクジェット紙のような剛度のある紙を用いてカバーした場合は、本を開いた際に図１（ｂ）に示すように本の背表紙部分とカバー紙の浮きが生じ、本との密着性の観点で課題が生じる場合がある。さらには図１（ｃ）のようにブックの片側を床につけ、もう片側を開こうとする場合にはカバー紙は逃げ場がなくなり本を閉じる方向への力がかかるため、開閉性に課題が生じる場合がある。
【００１４】
一方、本発明のブックカバーは、用いる２枚の紙それぞれに、カバーする本に対応した折り目を予めつけ、その後例えば透明フィルム等により２枚の紙全体、または重ね合わせ部およびその周辺を覆い、２枚の紙同士を繋ぐことで作製することができる。その際、２枚のカバー紙７は、それぞれ重ね合わさるようにして、図１（ｄ）のように符号３と４、および符号８と９の二点でそれぞれ位置（角）合わせをすれば良く装着が容易である。また上記のようにして作製した本発明のブックカバーを開閉した場合は、図１（ｅ）、（ｆ）に示すように逃げ場があるため本との密着性も高く、容易に開閉することができる。
【００１５】
（ブックカバー）
本をカバーするブックカバーは、一般的に本の表紙部分、背表紙部分および裏表紙部分を覆うことが求められ、必要に応じて本を挟み込む折り返し部分等が設けられる。本発明のブックカバーとしては、例えば図２（ｂ）に示すブックカバーを挙げることができ、図２（ａ）に示す紙１５を２枚用いて作製することができる。紙１５は折り目１４を２箇所有し、その折り目１４を境に折り返し部分１１、（裏）表紙部分１２および重ね合わせる箇所１３を有する。なお、図２の左右方向を縦方向とし、上下方向を横方向とする。本発明のブックカバーは、２枚の紙を有し、２枚の紙のそれぞれ一部を重ね合わせた重ね合わせ部１７を有する。重ね合わせ部とは、２枚の紙が重ね合わさった部分を意味し、例えば、図２（ｂ）に示すように２枚の紙１５を重ね合わせる箇所１３にて重ね合わせて作製した重ね合わせ部１７である。
【００１６】
（紙）
本発明に用いる２枚の紙としては、例えば普通紙、インク受容層を有するコート紙等が挙げられる。特に、本発明に用いる２枚の紙には、インクジェット記録により画像を良好に形成できる点から、それぞれインクジェット紙を用いることが好ましい。インクジェット紙としては、紙基材を原紙として用いたインクジェット紙であれば特に限定されるものでは無いが、好ましくは写真紙（レジンコート紙）、光沢紙（キャストコート紙）、半光沢紙、ファインアート紙、マット紙、微量塗工紙などが用いられる。より好ましくはフォト調の印字ができる紙であり、その質感、剛直度、カバーのしやすさ、コストなどの観点から光沢紙、マット紙などが特に好ましい。光沢紙を用いた場合には、非常に光沢感の高く写真プリント近い質感のカバー紙が得られる。また、マット紙を用いた場合には、落ち着いた質感のカバー紙が得られる。また、本発明に用いる２枚の紙同士は繋がれている。
【００１７】
（サイズ）
ブックカバーに用いる紙のサイズは、カバーする本の大きさに応じて決定することができる。本発明に用いる紙の形状は、長方形であることが好ましい。紙が長方形である場合は、横方向の幅（横幅）２１６．０ｍｍ（８．５ｉｎｃｈ）以下、かつ縦方向の幅（縦幅）５８４．０ｍｍ（２３ｉｎｃｈ）以下が好ましい。横幅が２１６．０ｍｍ（８．５ｉｎｃｈ）以下、かつ縦幅が５８４．０ｍｍ（２３ｉｎｃｈ）以下であれば、Ａ４プリンタで良好に印刷することが出来るため好ましい。より好ましい縦幅は４３２ｍｍ（１７ｉｎｃｈ）以下である。また、縦幅が３００．０ｍｍ以下であれば、搬送時に手などで補助をせずに済むためさらに好ましい。また、本発明のブックカバーに用いる２枚の紙はそれぞれ、本の表紙部分または裏表紙部分と背表紙部分とを覆い、さらにカバー紙が本を挟み込む折り返し部分１つを設けることのできるサイズより大きいことが好ましい。より好ましくはその折り返し部分の幅（折り返し部分の縦方向の幅）が２０．０ｍｍ以上６０．０ｍｍ以下である。２０．０ｍｍ以上であれば、本からカバー紙が取れやすくなることを優れて防ぎ、カバーとしての用途を果たさなくなることを優れて防ぐ。また、６０．０ｍｍ以下であれば、紙のサイズが大きくなることを優れて防ぐことができる。
【００１８】
（ブックカバーの装着方法）
２枚の紙のそれぞれ一部を重ね合わせた重ね合わせ部１７は、本の背表紙部分と重ねる。重ね合わせ部１７は、本の背表紙部分を覆うように配置する。本の背表紙部分を覆うように配置するとは、外観上、本の背表紙部分が隠れて見えない状態に重ね合わせ部を配置することを意味する。２枚の紙のそれぞれ一部を重ね合わせた重ね合わせ部１７は、本の背表紙部分とほぼ同じ大きさであることが好ましい。ほぼ同じ大きさとは、重ね合わせ部と背表紙部分との大きさが、面積比で１００：１０１〜１０１：１００であることを意味する。
また、背表紙部分全体を覆う形で、図２（ｂ）に示す重ね合わせ部の端部の角１６を、図１（ｆ）に示すように、本の背表紙部分の端部の角１０と接触させるように配置することが好ましい。重ね合わせ部を作らないと、２枚の紙をつなぎ合わせるために、例えば糊でつなぎ合わせることはできず、２枚の紙を保護フィルムで覆ったり、テープで繋ぎ合わしたりすることが必要となる。この場合、どちらの方法を用いても２枚の紙の切れ目部分では、フィルムのみの剛直性により、その部分だけが曲がりやすくなり、ブックカバーとしての強度が低下してしまう。また、重ね合わせ部がなく２枚の紙がずれた場合には、２枚の紙の間に隙間が生じその隙間から下地の本等が見え、見栄えが劣化する。２枚のカバー紙のそれぞれ一部を重ね合わせた重ね合わせ部は、その重ね合わせ部を構成する２枚のカバー紙の端部の角（重ね合わせ部の端部の角１６）がそれぞれ背表紙部分の端部の角にあることが好ましい。これにより、本の表面（表紙）、裏面（裏表紙）および背表紙のうちの何れかの平らな面にカバー紙の端が位置することを優れて防ぎ、それによる段差が生じることを優れて防ぐため、外観が優れる。
【００１９】
以下に本発明に用いる２枚の紙同士を繋ぐ方法を説明する。
２枚の紙は、印字後、その重ね合わせ部を糊や両面テープ等で接着させることで繋ぐことができる。その場合、２枚の紙の重ね合わせ部を両面テープ等で繋ぎ合わせ、重ね合わせ部の端部の角を本の背表紙部分の端部の角と接触させた場合には、背表紙部分で折り返す際に、張り合わせた紙同士が押さえとなるため、長尺で１枚の紙よりも折り返し易い。なお、糊や両面テープ等を用いて繋ぎ合わせる場合は、密着性および開閉性の観点から、２枚の紙の重ね合わせる箇所１３の一部同士を接着させて２枚の紙を繋ぎ合わせることが好ましい。また、密着性および開閉性の観点から、２枚の紙は、その上から保護フィルム（透明フィルム）等で覆うことにより、繋ぎ合わせることが好ましい。２枚の紙を保護フィルム（透明フィルム）等で覆う場合には、重ね合わせ部及びその周辺だけを覆ってもよいし、２枚の紙の全体を覆ってもよい。なお、２枚の紙全体を保護フィルムで覆う場合は、２枚の紙の重ね合わせ部を両面テープ等でつなぎ合わせた場合と比較して、印字面を優れて保護することができ、対傷、対ガス劣化などから印字面を優れて守ることできる。
【００２０】
以上のようにして、２枚の紙を有し、この２枚の紙は、それぞれ一部を重ね合わせた重ね合わせ部を有し、該２枚の紙は繋がれており、該重ね合わせ部は、本の背表紙部分を覆うように配置されるものであることを特徴とするブックカバーを装着した本を得る。
【実施例】
【００２１】
以下、実施例及び比較例を挙げて本発明をさらに具体的に説明するが、本発明はこれらに限定されない。
【００２２】
＜紙＞
（カバー紙Ａ）
キヤノン製のキヤノン写真紙・光沢（商品名：ＧＰ−５０１）Ａ４を横幅１４０．０ｍｍ（５．５ｉｎｃｈ）×縦幅２５４．０ｍｍ（１０ｉｎｃｈ）のサイズに断裁しカバー紙Ａを得た。
（カバー紙Ｂ）
キヤノン製のマットフォトペーパー（商品名：ＭＰ−１０１）Ａ３を横幅２１６．０ｍｍ（８．５ｉｎｃｈ）×縦幅３３０．２ｍｍ（１３ｉｎｃｈ）のサイズに断裁しカバー紙Ｂを得た。
（カバー紙Ｃ）
ＥＰＳＯＮ製の商品名：Ｐｈｏｔｏ  Ｂｏｏｋ  ＣｒｅａｔｏｒのＳｔｏｒｙ  Ｔｅｌｌｅｒ（５×７）内にあるカバー紙：横幅１４０．０ｍｍ（５．５ｉｎｃｈ）×縦幅５２９．０ｍｍ（２０．８ｉｎｃｈ）をカバー紙Ｃとした。
【００２３】
カバー紙Ｃはあらかじめ縦方向の両端（図２（ａ）の紙１５の左端および右端）から６５ｍｍの位置でそれぞれ折り目１４が形成されており、また真っ直ぐではケースに入りきらないため縦方向の真中の部分で折り曲げってあった。
（カバー紙Ｄ）
ＥＰＳＯＮ製の商品名：Ｐｈｏｔｏ  Ｂｏｏｋ  ＣｒｅａｔｏｒのＳｔｏｒｙ  Ｔｅｌｌｅｒ（８×１０）内にあるカバー紙：（商品名：ＭＰ−１０１）横幅２１６．０ｍｍ（８．５ｉｎｃｈ）×縦幅７３０．０ｍｍ（２８．７ｉｎｃｈ）をカバー紙Ｄとした。
【００２４】
カバー紙Ｄはあらかじめ縦方向の両端から６５ｍｍの位置でそれぞれ折り目１４が形成されており、また真っ直ぐではケースに入りきらないため縦方向の真中の部分で折り曲げってあった。
（カバー紙Ｅ）
ＥＰＳＯＮ製の商品名：Ｐｈｏｔｏ  Ｂｏｏｋ  ＣｒｅａｔｏｒのＳｔｏｒｙ  Ｔｅｌｌｅｒ（５×７）内にあるキヤノン製のキヤノン写真紙・光沢（商品名：ＧＰ−５０１）Ａ３を用いた。これを、カバー紙Ｃと同サイズになるように横幅１４０．０ｍｍ（５．５ｉｎｃｈ）×縦幅５２９．０ｍｍ（２０．８ｉｎｃｈ）に裁断してカバー紙Ｅを得た。
【００２５】
＜搬送性評価＞
上記カバー紙Ａ〜Ｅを、キヤノン製プリンタｉＰ４２００（商品名）及びＨＰ製プリンタＤｅｓｋＪｅｔ５１００（商品名）を用いて搬送評価を行った。搬送評価は各カバー紙を印字し、紙が給紙できるかを確認した。評価は下記の基準に基づき行った。
○；搬送の際に、補助することなしに給紙可能であった。
△；搬送の際に、補助することにより給紙可能であった。
×；補助しても給紙することが出来なかった。
−；印字可能領域外（紙のサイズがプリンタの印刷可能サイズを超えている）であった。
【００２６】
＜画像評価＞
搬送性評価で○もしくは△であったものに対してはさらに印字された画像について評価を行った。評価は下記の基準に基づき目視で行った。
○；印字画像にプリンタのヘッドに擦った跡が見られなかった。
×；印字画像にプリンタのヘッドに擦った跡が見られた。
【００２７】
＜ブックカバーとしての性能＞
次に各カバー紙のブックカバーとしての性能を評価するために以下の評価を行った。
【００２８】
ブックカバーの性能を評価するために使用したブックは、実施例１、ならびに比較例１、３および４においては以下のものである。すなわち、ＥＰＳＯＮ製の商品名：Ｐｈｏｔｏ  Ｂｏｏｋ  ＣｒｅａｔｏｒのＳｔｏｒｙ  Ｔｅｌｌｅｒ（５×７）付属の（裏）表紙部分が横幅１４０．０ｍｍ×縦幅１９４．０ｍｍで、背表紙部分の縦幅が８．０ｍｍのブックＡ（直方体）を用いた。実施例２および比較例２においてはＥＰＳＯＮ製の商品名：Ｐｈｏｔｏ  Ｂｏｏｋ  ＣｒｅａｔｏｒのＳｔｏｒｙ  Ｔｅｌｌｅｒ（８×１０）付属の（裏）表紙部分が横幅２１６．０ｍｍ×縦幅２６９．０ｍｍで、背表紙部分の縦幅が９．０ｍｍのブックＢ（直方体）を用いた。
【００２９】
実施例１においては、図２（ａ）に示すように、２枚のカバー紙Ａをそれぞれ縦方向の片端（左端）から５２．０ｍｍで折り目１４をつけ、折り返し部分１１を作製した。また、もう片方の端（右端）から８．０ｍｍの位置で折り目１４をつけ、重ね合わせる箇所１３を作製した。図２（ｂ）に示すように、この２枚のカバー紙Ａの重ね合わせる箇所１３を重ね合わせた。この重ね合わせ部１７の内側を、７ｍｍ×５０ｍｍの両面テープが外にはみ出さないように止め、重ね合わせ部１７を有するブックカバーＡを作製した。なお、ブックカバーＡ（横幅１４０ｍｍ×縦幅５００．０ｍｍ）は、２つの折り返し部分１１（縦幅：５２．０ｍｍ）、（裏）表紙部分１２（縦幅：１９４．０ｍｍ）および重ね合わせ部１７（縦幅８．０ｍｍ）を有する。重ね合わせ部の端部の角１６を本の背表紙部分の端部の角と合わせて、ブックカバーＡでブックＡを覆った。
【００３０】
実施例２においては、図２（ａ）に示すように、２枚のカバー紙Ｂをそれぞれ縦方向の片端（左端）から５２．０ｍｍで折り目１４を付け、折り返し部分１１を作製した。また、もう片方の端（右端）から９．０ｍｍの位置で折り目１４をつけ、重ね合わせる箇所１３を作製した。図２（ｂ）に示すように、この２枚のカバー紙Ｂの重ね合わせる箇所１３を重ね合わせた。この２枚のカバー紙Ｂ全体をＥＰＳＯＮ製の商品名：Ｐｈｏｔｏ  Ｂｏｏｋ  ＣｒｅａｔｏｒのＳｔｏｒｙ  Ｔｅｌｌｅｒ（８×１０）付属保護フィルムで覆い、重ね合わせ部１７を有するブックカバーＢを作製した。すなわち、２枚の紙の重ね合わせる箇所１３同士を貼り合わせることなく、２枚の紙同士を繋いだ本発明のブックカバーを得た。なお、ブックカバーＢ（横幅２１６ｍｍ×縦幅６５１．４ｍｍ）は、２つの折り返し部分１１（縦幅５２．０ｍｍ）、（裏）表紙部分１２（縦幅２６９．２ｍｍ）および重ね合わせ部１７（縦幅９．０ｍｍ）を有する。重ね合わせ部の端部の角１６を背表紙部分の端部の角と合わせて、ブックカバーＢでブックＢを覆った。
【００３１】
比較例１、２においてはそれぞれカバー紙Ｃ及びカバー紙Ｄに形成されている上記折り目１４をブックの端部にあわせるようにして折り、それぞれ実施例２と同様の方法にて上記付属保護フィルムで覆い、ブックカバーＣおよびＤをそれぞれ作製した。続いて、そのブックカバーＣおよびＤでそれぞれブックＡおよびブックＢを覆った。
【００３２】
比較例３においてはカバー紙Ｅを縦方向の一方の端から６６．０ｍｍ、２６０．０ｍｍ、２６８．０ｍｍ、４６２．０ｍｍの位置で折り目をつけた。これにより、２箇所の折り返し部分の縦幅がそれぞれ６６．０ｍｍおよび６７．０ｍｍ、（裏）表紙部分の縦幅が１９４．０ｍｍ、本の背表紙部分の縦幅が８．０ｍｍであるブックカバーを作製してブックＡを覆った。
【００３３】
比較例４においてはカバー紙Ｅを縦方向の一方の端から６４．０ｍｍ、２６０．０ｍｍ、２６９．０ｍｍ、４６５．０ｍｍの位置で折り目をつけた。これにより、２箇所の折り返し部分の縦幅が６４．０ｍｍ、（裏）表紙部分の縦幅が１９６．０ｍｍ、本の背表紙部分の縦幅が９ｍｍであるブックカバーを作製してブックＡを覆った。
【００３４】
＜密着性＞
ブックカバーの密着性について、下記の基準に基づき目視で行った。
○；カバー紙とブック間に隙間は見られない。
×；カバー紙とブック間に隙間が見られる。
【００３５】
＜開閉性＞
ブックカバーの開閉性について、下記の基準に基づき目視で行った。
○；ブック片側の面を下にして床に接触させ、別の片側の面を床に対して１００度開いてから手を離すと、自然と開き、床に接触する。
×；ブック片側の面を下にして床に接触させ、別の片側の面を床に対して１００度開いてから手を離すと、自然と閉じる。
【００３６】
【表１】
2011126116.tif 000003
【符号の説明】
【００３７】
１１  折り返し部分
１２  （裏）表紙部分
１３  重ね合わせる箇所
１４  折り目
１５  紙
１６  重ね合わせ部の端部の角
１７  重ね合わせ部
【図１】
2011126116.tif 000004
【図２】
2011126116.tif 000005